(57)【要約】【課題】小型化実現のため、主基板に対して電池を斜めに配置している。しかしながら電池を斜めに配置することによりスペースが狭くなり、構成部品を配置しにくい箇所ができてしまう。【解決手段】主基板と、主基板に対して傾けて配置された電池を収納するケースと、収納ケースに取りつく弾性部を備えた板金から構成され、板金は収納ケースに対して平行且つ主基板に対して厚み方向に重なるように配置されている。板金と主基板との隙間は基板端に近づくにつれ徐々に小さくなり、最も隙間が小さくなる基板端よりも前記板金は延出し、延出した箇所に弾性部を備える。【選択図】図１５(ａ)
2015005411.tif 000002
【特許請求の範囲】
【請求項１】
回路基板と
前記回路基板に対して傾けて配置された電池収納ケースと
前記電池収納ケースに取り付く板金と
前記回路基板に対してスライド移動可能な前記電池収納ケースの蓋部を備えており
前記板金は、前記回路基板に対して厚み方向に重なるように配置され、
前記板金と前記回路基板との隙間は基板端に近づくにつれ徐々に小さくなり、最も隙間が小さくなる基板端よりも前記板金は延出し、
前記板金は前記延出した箇所に弾性部を備え、
前記弾性部は前記蓋部がスライド移動する際、クリック力を発生させることを特徴とする電子機器。
【発明の詳細な説明】
【技術分野】
【０００１】
本発明は、電子機器の電池蓋周辺構成に関するものである
【背景技術】
【０００２】
近年、電子機器は、その用途・性能に応じて、様々な形態を有している。例えば、撮像装置の場合、撮影データをＳＤカード等のメモリカードに記録するものが多くなっており、撮像装置の筐体に電池収納部や交換可能なメモリカード収納部を構成し、この収納部内に電源用の電池やメモリカードを着脱可能に内蔵しているものが普及している。
【０００３】
特に小型の撮像装置の分野においては、電池を斜めに配置することで例えばロック機構、レリーズスイッチ部、操作部、挿入部等の部材を効率よく配置し、小型化を行っているものがある(特許文献１参照)。
【先行技術文献】
【特許文献】
【０００４】
【特許文献１】特開2006-78878号公報
【発明の概要】
【発明が解決しようとする課題】
【０００５】
しかしながら、上述の特許文献１のように電池を斜めに配置した撮像装置では、特に端部に於いて操作部、基板などの構造物を配置し辛く、有効に活用できないスペースが生まれてしまうことがあった。
【課題を解決するための手段】
【０００６】
回路基板と前記回路基板に対して傾けて配置された電池収納ケースと前記電池収納ケースに取り付く板金と前記回路基板に対してスライド移動可能な前記電池収納ケースの蓋部を備えており前記板金は、前記回路基板に対して厚み方向に重なるように配置され、前記板金と前記回路基板との隙間は基板端に近づくにつれ徐々に小さくなり、最も隙間が小さくなる基板端よりも前記板金は延出し、前記板金は前記延出した箇所に弾性部を備え、前記弾性部は前記蓋部がスライド移動する際、クリック力を発生させることを特徴とする電子機器。
【発明の効果】
【０００７】
本発明によれば、電池を斜めに配置することによって生じてしまう有効に活用できないスペースに電池蓋の開閉クリック用の金属バネを配置することで有効に活用することが可能である。
【図面の簡単な説明】
【０００８】
【図１】撮像装置外観斜視図
【図２】撮像装置外観斜視図
【図３】撮像装置外観斜視図
【図４（ａ）】撮像装置姿勢側面図（三脚ベース固定）
【図４（ｂ）】撮像装置姿勢側面図（地面置き撮り）
【図５】撮像装置外観斜視図（撮影状態）
【図６】撮像装置外観斜視図（撮影状態・自分撮り）
【図７】撮像装置外観斜視図（撮影状態）
【図８】撮像装置外観斜視図（撮影状態・地面置き撮り）
【図９】撮像装置システムブロック図
【図１０】電池ボックスユニットの前面構成を示す斜視図
【図１１】電池ボックスユニットの側面構成を示す側面図
【図１２】電池ボックスユニットに電池を入れた状態の底面図
【図１３】主基板部底面図
【図１４】主基板部と電池ボックスユニットを組みつけた底面図
【図１５（ａ）】図１４における断面図
【図１５（ｂ）】図１５−ａにおける詳細図
【図１５（ｃ）】図１５−ａにおける詳細図
【図１６（ａ）】ボトムカバーの天面図
【図１６（ｂ）】図１６(ａ )における詳細図
【図１７】電池蓋の天面構成を示す斜視図
【図１８（ａ）】電池ボックスユニットにボトムユニットを取り付けた天面図から見た斜視図
【図１８（ｂ）】図１８(ａ)から、電池蓋を矢印γ方向へ移動させたスライド状態の斜視図
【図１８（ｃ）】図１８(ｂ)から、電池蓋を矢印ε方向へ回転させた開き状態の斜視図
【発明を実施するための形態】
【０００９】
＜第１の実施形態＞
以下、本発明の好適な一実施形態について、小型且つ薄型の撮像装置に本発明を適用し、図面を参照しながら詳細に説明する。尚、本実施形態での説明において、図１における矢印にて示す方向を、各々Ｘ方向・Ｙ方向・Ｚ方向と定める。また、本実施形態における撮像装置において、レンズ（バリア）側から見た面（図１Ｘ方向から見た面）を正面、正面と対向する面を背面、正面に対して右側から見た面を右側面、正面に対して左側から見た面を左側面、正面に対して上側から見た面を天面、正面に対して下側から見た面を底面、と各々称する。
【００１０】
（撮像装置外観斜視図の説明）
図１は本撮像装置の主に天面構成を表す正面から見た斜視図、図２は本撮像装置の主に天面構成を表す背面から見た斜視図、図３は本撮像装置の主に底面構成を表す背面から見た斜視図である。本図を用いて外観斜視図に表される各要素の機能を簡単に説明していく。
【００１１】
図１〜図３において、１は本撮像装置の正面側に配置されるフロントユニット、１００はフロントユニット１の外観を成し、撮像装置正面側及び撮像装置天面側を覆う金属製のフロントカバー、１０１及び１０２は本撮像装置の正面側に配置され、入力された音声信号を電気信号に変換するマイクＬ及びマイクＲ、１０３は本撮像装置内部に配置されるレンズ部を保護するバリア、１０４は本撮像装置の左側面側に配置され、撮影者がスライド操作することでバリア１０３を開閉すると共に、本撮像装置の電源をＯＮ／ＯＦＦさせるバリア電源ノブ、１０５は本撮像装置の電源ＯＮ／ＯＦＦの状態に応じて発光する、本体内部に配置された発光部からの光を外観へ導光する、透明部材で形成された電源ＬＥＤ窓である。
【００１２】
１０６はフロントカバー１００の内部に配置されたスピーカーから出力される音声を、フロントカバー１００の天面側に形成された孔から外部へと伝えるスピーカー部、２は収納状態において本撮像装置の天面側に配置される表示ユニット、２００は撮像画像や再生画像の表示を行うＬＣＤ等で構成される表示部、２０１は表示部２００の表面に配置されユーザーがタッチすることで操作入力を可能とするタッチパネル部、３は本撮像装置の底面側に配置されるボトムユニット、３００はボトムユニット３において撮像装置底面側を覆う外装カバーであるボトムカバーである。
【００１３】
３０１はボトムカバー３００の右側面側に配置され、カード状記録媒体と本撮像装置の本体制御部（後述）が通信を行っている際に発光する本体内部に配置された発光部からの光を外観へと導光する、透明部材で形成されたアクセスＬＥＤ窓、３０２はボトムカバー３００の左側面側に配置され操作されることで再生モードへと移行する再生ノブ、３０３はボトムカバー３００の底面側に配置されたスタンドユニット、３０４はボトムカバー３００の背面側に配置され本撮像装置に対して開閉動作可能に構成された電池蓋、３０５はボトムカバー３００左右側面の背面側に形成された、ストラップを装着する為のストラップ穴である。
【００１４】
３０６は本撮像装置底面側に配置され三脚ネジに締結される雌ネジ部を有する三脚ベース、４は本撮像装置の右側面側に配置され操作されることで画像撮影を行うレリーズノブ、５は本撮像装置の右側面側に配置され撮像装置本体に対して開閉動作可能に構成されるカード蓋、６は本撮像装置左側面側に配置され撮像装置本体に対して開閉動作可能に構成されるジャック蓋、１１は電池を収納する電池ボックスや電池を保持する電池ロックレバーなどから構成される電池ボックスユニットをそれぞれ表す。
【００１５】
（撮像装置の姿勢）
図４(ａ)に本撮像装置を三脚に取り付けた際の撮像装置の姿勢、図４(ｂ)に本撮像装置を地面（床・机など平らな面）に置いた際の撮像装置の姿勢を、各々撮像装置右側面図にて示す。
【００１６】
図４(ａ)及び図４(ｂ)において、Ｕは三脚台座、図中の二点鎖線Ｔは三脚台座Ｕと本撮像装置底面の接地面、直線Ｇは地面と本撮像装置底面の接地面をそれぞれ表す。また、図中の一点鎖線は本撮像装置の撮影光軸方向を示している。
【００１７】
図４(ａ)に示すように本撮像装置は、三脚台座Ｕの三脚ネジ部を三脚ベース３０６に係合させることで、本撮像装置を三脚に取り付けることが出来る。図４(ａ)から分かるように、本撮像装置を三脚に取り付けた場合、一点鎖線で表される光軸方向と設置面Ｔが略平行となっているのがわかる。三脚取り付け時、撮像装置にこのような姿勢をとらせることで、撮影者は、三脚側の水準器等を参照しながら三脚台座を傾斜（チルト）させ、三脚台座と一体的に撮像装置の姿勢を操作し、良好に撮影角度を調整することが可能となる。
【００１８】
一方図４(ｂ)において、本撮像装置を地面に置いた場合の接地面を表す直線Ｇは、一点鎖線で表される光軸方向と所定の角度を持っているのがわかる。これは本撮像装置の本体底面が、背面側にいくにしたがって、撮影光軸に近づく方向に傾斜（ヒップアップ）させていることにより実現する（本実施例に係る撮像装置では光軸に対し５°の傾斜をもたせている）。このような姿勢をとらせることで、撮像装置を地面に置いて撮影する際、撮影画像に地面が写ってしまう領域を減らし、良好な撮影画像を得ることが可能となる。
【００１９】
（可動要素可動時の撮影形態の説明）
図５〜図８に、本撮像装置における各可動要素を操作した後、撮影を行う際の様子を示す。また、この状態においての、撮影形態に関する説明を行う。
【００２０】
図５は図１の状態から、バリア１０３を開状態に操作し、表示ユニット２及びスタンドユニット３０３を所定量開いた状態を斜視図にて表している。図５において、７は被写体の光学情報を得る為の複数のレンズ群で構成されたレンズ部、２０２は表示ユニット２を本撮像装置本体に対して回転移動可能に取り付けるヒンジ部、２０３はヒンジ部２０２を中心として回転する第１回転軸を一点鎖線で表し、２０４はヒンジ部２０２に締結され撮像装置本体に対して固定されるトップカバーをそれぞれ表す。
【００２１】
（画像撮影時の動作説明）
撮影者がバリア電源ノブ１０４をスライド操作すると、バリア１０３は撮像装置本体内部へと収納される。バリア１０３が開状態となることで、図５に示すようにレンズ部７が撮像装置正面側に露出する。光学レンズ群を有するレンズ部７において、被写体より光学情報を入射し、図示しないセンサー部へ光学情報を結像させる。結像された光学情報はセンサー部で電気情報（画像情報）へと変換され、センサー基板部へと伝達される。センサー基板部へと伝達された画像情報は、表示ユニット２へと伝達され、例えばＬＣＤで構成される表示部２００により撮影者に対して画像情報が表示される。
【００２２】
（表示ユニットの説明）
図５に示すように、表示ユニット２は撮像装置本体に対して回転移動可能に構成される。本図を用いて表示ユニット２の可動可能な姿勢について説明する。ヒンジ部２０２は本体内部背面側の図示しない締結部によって撮像装置本体に締結される。また、ヒンジ部２０２はこの締結部近傍に図示しない第２回転軸を有し、撮像装置本体に対する表示ユニット２の回転移動を可能にする。このように、表示ユニット２を回転移動させることで、撮影者は表示内容を見やすい位置に表示ユニット２の位置を調整することが可能となる（図５は表示ユニット２を撮像装置本体に対して第２回転軸回りに３０°回転移動させた位置）。尚、本撮像装置においては、表示ユニット２を撮像装置本体に対して略９０°回転移動可能に構成されている。
【００２３】
図６は、図５の状態から表示ユニット２を撮像装置本体に対してさらに回転させ略９０°の位置まで移動させた後、第１回転軸２０４を中心に表示部２００をヒンジ部２０３に対して１８０°回転させ、表示部２００を撮像装置正面側に向かせた状態を表している。本図からわかるように、この状態ではレンズ部７と表示部２００が同方向を向くこととなる。この為、撮影者がレンズ側にいる状態で撮影を行う（自分撮り）場合、レンズ部７で撮影された撮影画像を、表示部２００で確認しながら撮影を行うことが可能となり、良好な自分撮り撮影を行うことが可能である。
【００２４】
（スタンドユニットの説明）
図７は図５の状態を、底面側から見た際の斜視図である。本図を用いてスタンドユニット３０３の可動可能な姿勢について説明する。スタンドユニット３０３は、撮像装置本体に対して回転移動可能に構成されている。スタンドユニット３０３は本体内部背面側の図示しない締結部によって撮像装置本体に締結される。スタンドユニット３０３は、この締結部近傍に図示しないスタンド回転軸を有し、撮像装置本体に対するスタンドユニット３０３の回転移動を可能にする（本図ではスタンドユニット３０３を撮像装置本体に対して４５°回転移動させた位置）。ボトムカバー３００には、スタンド凹部３０７が設けられる。スタンド凹部３０７はスタンド３０３と略同一形状を成す凹形状で、スタンドユニット３０３を撮像装置本体に収納する。
【００２５】
図８は図５の状態において、撮像装置を地面（床・机など平らな面）に置いて撮影を行う際（置き撮り）の様子を表す。図中の一点鎖線は本撮像装置の撮影光軸方向を示す。本図に示すように、撮像装置は、撮像装置本体に対して回転移動させたスタンドユニット３０３の先端と撮像装置本体の底面背面側とが、直線Ｇにて地面と接地していることがわかる。この時、一点鎖線で示す光軸方向と接地面Ｇとは所定量傾斜している。
【００２６】
このように、本撮像装置を地面に置いた状態で撮影を行う際、スタンドユニット３０３を撮像装置本体に対して回転移動させることで、撮影角度を自在に調整することが可能となる。また、スタンドユニット３０３を利用することで、撮影画像に地面が写ってしまう領域を、撮影者が調整することも可能である。
【００２７】
尚、表示ユニット２及びスタンドユニット３０３の詳細構造に関しては、本出願内容と直接関係しない為、詳細な説明は省略する。
【００２８】
（撮像装置システムブロック図の説明）
図９は、本撮像装置におけるシステムブロック図を表している。本図を用いて、本撮像装置の内部動作システムを簡単に説明する。尚、本図において他図と同様の構成要素には同様の符号を付し、図示を省略する。
【００２９】
図９において、本図左側に描かれた、レンズ部７とセンサー部８をまとめてレンズユニット部と称する。前述したように、光学レンズ群を有するレンズ部７に入射した光学情報は、センサー部８において受光され、センサー部８の光電変換機能によって、光学情報を電気情報（画像情報）へ変換する。
【００３０】
本図中央部に描かれた本体部は、主基板９０を有する。主基板９０の本体制御部１０は、画像・音声情報の入出力、圧縮・変換等の画像処理、記録・再生等の録再処理、等に代表される情報処理を、主基板９０に設けられたメモリ１００７と通信しながら行う。発光部１００１は各ＬＥＤ素子により光を発光し、透明材料で形成された電源ＬＥＤ窓１０５やアクセスＬＥＤ窓３０１によって導光され、撮影者へ視認可能に、外観へ露光される。電源部１００２は電池や外部電源ケーブルを介して外部電源より電力を得ることが可能である。各電源部１００２より得られる電力は本体制御部１０へ電送される。
【００３１】
本体制御部１０へ電送られた電力は、本体制御部１０により各駆動要素に適した電圧に電圧変換が行われた後、各駆動要素の電源として各駆動要素へ電送される。外部接続端子部１００３は各外部接続端子部に外部接続ケーブルが接続されると、その接続を各接続端子が検知し、本体制御部１０へ検知信号を伝達する。本体制御部１０は、接続された外部接続ケーブルに応じて、画像情報の入出力等の制御を行う。
【００３２】
無線通信部１００４は本発明とは関係がないため詳細を明記しないが無線モジュールを通じて外部無線機器と、無線で情報通信が可能である。画像の記録を行う場合は、本体制御部１０が、外部記憶装置部１００５へ画像情報を伝達し、外部記録メディア（マイクロＳＤカード等）へと撮影画像を記録させる。操作部１００６に該当する要素として、例えばレリーズノブ４、再生ノブ３０２が該当する。各操作部が操作されると本体制御部１０へ操作情報を伝達する。本体制御部１０はこの操作情報を元に、画像記録や再生モードへのモード切り替えを行う。
【００３３】
図９において、本図右側に描かれた表示ユニット部２はパネル基板部を有する。パネル基板部は本体制御部１０と電気的に接続され、本体制御部との間で情報の伝達が可能に構成される。例えば、レンズユニット部で撮影されている画像情報が本体制御部に電送され、本体制御部により画像処理された後、本体制御部がパネル基板部へその画像情報を電送する。パネル基板部は受けとった画像情報を画像処理した後、表示部２００へ電送しユーザーに向けて撮影画像を表示させる。また、撮影者がタッチパネル部２０１より操作した操作情報は、パネル基板部へと伝達され、パネル基板部から本体制御部へと電送される。本体制御部は、この操作情報に応じて、各構成要素の制御を行う。
【００３４】
（電池ボックスの構成）
図１０は電池ボックスユニット１１の天面構成を示す斜視図であり、図１１は、電池ボックスユニット１１の左側面より見た左側面構成を示す側面図である。本図を用いて電池ボックスユニット１１の構成を説明する。
【００３５】
電池ボックスユニット１１は電池を収納する電池ボックス１１０と電池を排出する図示しない電池排出バネ、ユニットの１つの面を構成する背面板金１１１、電池を保持する電池ロックレバー１１２、電池ロックレバー１１２を一定方向へ付勢する電池ロックバネ１１３、電池ロックレバー１１２と勘合し軸支する電池シャフト１１４で構成される。
【００３６】
また、電池ボックス１１０には後述する電池蓋を閉めた時、電池蓋の爪部と当接する当て面１１０１、電池蓋がスライド移動する時に電池蓋３０４をガイドするスライドレール１１０２、後述する主基板に実装されている電池端子９００を保持する端子嵌合部１１０３を備え、背面板金１１１には電池蓋３０４をスライド移動する際にクリック力をだすクリック部１１１１を備えている。尚、電池ボックス１１０は樹脂部品であり、背面板金１１１は金属の板金部材である。この為、電池ボックス１１０の肉厚に対し、背面板金１１１は十分に薄く構成できる。
【００３７】
図１２は電池１２が挿入された状態の電池ボックスユニット１１の底面側から見た際の図である。本図を用いて電池ボックスユニット１１に挿入された電池１２の保持方法と排出方法について説明する。
【００３８】
電池ロックレバー１１２及び、電池ロックバネ１１３は、電池シャフト１１４によって軸支される。電池シャフト１１４は、電池ボックス１１０に設けられた丸穴に挿通され、電池ボックス１１０に組み込まれる。この時、電池ロックレバー１１２は、電池ロックバネ１１３によって、矢印α方向に付勢される。これにより、電池１２は、電池ロックレバー１１２にロックされ、電池ボックス１１０に対して、保持されることとなる。
【００３９】
電池１２を排出する場合は、電池ロックレバー１１２を、図１２に示される矢印α方向と逆の方向に操作する。すると、電池ロックレバー１１２のロックが解除され、電池排出バネによって付勢された電池１２が矢印β方向に排出される。
【００４０】
（電源ユニット取り付け構造の説明）
図１３は、主基板部９を撮像装置底面側から見た図である。また、図１４に、電池ボックスユニット１１を本撮像装置に組み込んだ際の様子を撮像装置底面側から見た図にて表す。本図を用いて主基板部９に電池ボックスユニット１１を組み込む際の電池端子９００と電池端子嵌合部１１０３の関係について説明する。尚、前図と同様の構成要素には同様の符号を付し、図示を省略する。
【００４１】
主基板部９は主基板９０、主基板９０を保持する主基板ホルダー９１、三脚ベース３０６を一体にしたものを表す。電池端子９００は、主基板９０に面実装される。電池端子９００は、主基板９０に実装された状態で、所定量、実装面方向へ移動することが可能に構成されている（フローティング構造）。電池ボックス１１０が、組み込まれると、電池ボックス１１０の電池端子嵌合部１１０３が、電池端子９００と嵌合し、電池ボックス１１０に対する電池端子９００の位置が決まる。
【００４２】
（電池と主基板部との配置構造）
図１５(ａ)は、図１４における一点鎖線Ａ-Ａにて断面を切り、その様子を図中右側から見た断面図を表す。図１５(ａ)は、電池ボックス１１０に電池１２が収納された状態を表す断面図である。尚、図１４における一点鎖線Ａ-Ａは、電池端子９００の中心を通る線であるため、本断面図中に電池端子９００が表示されている。図１５(ｂ)は、図１５(ａ)における円Ｂ部の詳細図、図１５(ｃ)は図１５(ａ)における円Ｃ部の詳細図をそれぞれ表す。本図を用いて主基板部９と電池ボックスユニット１１の配置について説明する。
【００４３】
図１５(ａ)に示すように、電池端子９００は主基板９０に対して垂直に実装される。これに対し、電池ボックス１１０は、主基板９０の実装面と所定角度傾斜させて配置される（本撮像装置では５°の傾斜を有する）。この為、電池１２は、電池端子９００に対して、所定角度傾斜した状態で、電池ボックス１１０に収納される。この電池１２の傾斜は、撮像装置背面側に進むにつれ、主基板９０と近接する方向へと傾斜される。
【００４４】
本図において、黒塗りの三角形で示される範囲であるｈは、主基板９０に対して傾斜してなる背面板金１１１と、主基板９０の実装面とで形成される範囲の三角形である。主基板９０と背面板金１１１の間の距離が最も小さくなる基板の端に於いても主基板９０には電気部品を実装することが可能である。
【００４５】
図１５(ｂ)に示すように、電池１２は電池端子９００に対して傾斜した状態で、電池１２の電池端子部１２１と電池端子９００の端子接点部９００１が当接し、電池１２は主基板９０に対して給電を行う。
【００４６】
図１５(ｃ)のように電池ボックス１１０は、主基板９０に近接する方向に傾斜される為、あるポイントで電池ボックス１１０と、主基板９０が干渉する。主基板９０は、この干渉を避ける為、本図内の点線で表している所定の位置においてカットしている。
【００４７】
主基板９０をカットした箇所は基板厚み方向(Ｙ方向)のスペースが狭く、構造物が配置できないデッドスペースとなる。本実施例では図１５(ａ)の配置のように背面板金１１１と一体に形成されているクリック部１１１１を配置することで通常、構造物が配置できない箇所を有効に活用している。前述したように背面板金は金属等の薄い材質にて形成されているため、スペースが狭いところでも配置することが可能である。
【００４８】
（底面カバーと電池蓋構成の説明）
図１６(ａ)はボトムカバー３００の天面より見た斜視図、図１６(ｂ)は図１６(ａ)における円Ｄ部の詳細図、図１７は電池蓋３０４の天面より見た斜視図である。本図を用いてボトムユニット３を主に構成しているボトムカバー３００、電池蓋３０４のそれぞれの詳細構成を説明する。
【００４９】
ボトムカバー３００には電池蓋３０４と係合する回転軸３０００が設けられており、その周囲にはスライド溝３００１と回転保持溝３００２が設けられている。
【００５０】
電池蓋３０４には腕部３０４０が左右両側に設けられ、腕部３０４０には長穴形状である軸穴部３０４１、ボトムカバー３００のスライド溝３００１、回転保持溝３００２と勘合する姿勢保持凸部３０４２が設けられ、電池蓋３０４をスライドさせる際にクリック力を出すクリック当接部３０４３、回転方向に蓋を開いた時に電池ボックスユニット１１に突き当たるストッパー部３０４４、電池ボックスユニット１１に当接することで閉じ状態の姿勢を保持する爪部３０４５によって構成される。電池蓋３０４が開き姿勢になった時、姿勢保持凸部３０４３が回転保持溝３００２と勘合し、その姿勢を保持する役割を持つ。図示していないが姿勢保持凸部３０４２、回転軸３０００、スライド溝３００１、回転保持溝３００２は左右対称に設けられている。
【００５１】
ボトムカバー３００の回転軸３０００と電池蓋３０４の軸穴部３０４１が勘合することで電池蓋３０４はボトムカバー３００にスライド及び回転可能に支持されている。
【００５２】
(電池蓋の開閉動作の説明)
図１８(ａ)は電池ボックスユニット１１とボトムユニット３を組み付けた、電池蓋閉じ状態の斜視図である。図１８(ｂ)は図１８(ａ)の電池蓋閉じ状態より、矢印γ方向へと電池蓋３０４をスライド移動させた状態の図である。図１８(ｃ)は図１８(ｂ)の状態より、電池蓋３０４を矢印ε方向へと回転させた電池蓋開状態の図である。本図を用いてボトムユニット３と電池ボックスユニット１１が一体に組まれた状態での電池蓋３０４の開き動作について説明する。
【００５３】
電池蓋３０４は閉じ状態の時、図１８(ａ)のように爪部３０４５が電池ボックス１１０の当て面１１０１と当接することでその姿勢を保持している。閉じ状態より、電池蓋３０４に矢印γ方向への力を加えると電池蓋３０４は背面板金１１１のクリック部１１１１がクリック当接部３０４３の山形状を乗り上げることでクリック力を出しながらスライド移動する。
【００５４】
電池蓋３０４はボトムカバー３００に備えられた回転軸３０００が勘合している軸穴部３０４１の長穴の範囲内を移動することにより、スライド移動することが可能となっている。スライド移動した後、回転軸３０００を中心に矢印ε方向へと電池蓋３０４のストッパー部３０４４が電池ボックス１１０に突き当たる回転移動端まで回転させることで電池蓋３０４は開き状態となり、電池の挿抜が可能となる。
【００５５】
以上の構成にすることにより、小型且つ薄型の撮像装置に於いて、主基板に対して電池を斜めに配置した時、端部に於いて構造物を配置しにくいスペースに、電池開閉用のバネを配置することで有効に活用することが可能である。従って撮像装置の小型化を可能にしている。
【００５６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５７】
１‥‥フロントユニット
１００‥‥フロントカバー
１０１‥‥マイクＲ
１０２‥‥マイクＬ
１０３‥‥バリア
１０４‥‥バリア電源ノブ
１０５‥‥電源ＬＥＤ窓
１０６‥‥スピーカー部
２‥‥表示ユニット
２００‥‥表示部
２０１‥‥タッチパネル部
２０２‥‥ヒンジ部
２０３‥‥第２回転軸
２０４‥‥トップカバー
３‥‥ボトムユニット
３００‥‥ボトムカバー
３０００‥‥回転軸
３００１‥‥スライド溝
３００２‥‥回転保持溝
３０１‥‥アクセスＬＥＤ窓
３０２‥‥再生ノブ
３０３‥‥スタンドユニット
３０４‥‥電池蓋
３０４０‥‥腕部
３０４１‥‥軸穴部
３０４２‥‥姿勢保持凸部
３０４３‥‥クリック当接部
３０４４‥‥ストッパー部
３０４５‥‥爪部
３０５‥‥ストラップ穴
３０６‥‥三脚ベース
３０７‥‥スタンド凹部
４‥‥レリーズノブ
５‥‥カード蓋
６‥‥ジャック蓋
７‥‥レンズ部
８‥‥センサー部
９‥‥主基板部
９０‥‥主基板
９１‥‥主基板ホルダー
９００‥‥電池端子
９００１‥‥端子接点部
１０‥‥本体制御部
１００１‥‥発光部
１００２‥‥各電源部
１００３‥‥外部接続端子部
１００４‥‥無線通信部
１００５‥‥外部記憶装置部
１００６‥‥操作部
１００７‥‥メモリ
１１‥‥電池ボックスユニット
１１０‥‥電池ボックス
１１０１‥‥当て面
１１０２‥‥スライドレール
１１０３‥‥電池端子嵌合部
１１１‥‥背面板金
１１１１‥‥クリック部
１１２‥‥電池ロックレバー
１１３‥‥電池ロックバネ
１１４‥‥電池シャフト
１２‥‥電池
【図１】
2015005411.tif 000003
【図２】
2015005411.tif 000004
【図３】
2015005411.tif 000005
【図４（ａ）】
2015005411.tif 000006
【図４（ｂ）】
2015005411.tif 000007
【図５】
2015005411.tif 000008
【図６】
2015005411.tif 000009
【図７】
2015005411.tif 000010
【図８】
2015005411.tif 000011
【図９】
2015005411.tif 000012
【図１０】
2015005411.tif 000013
【図１１】
2015005411.tif 000014
【図１２】
2015005411.tif 000015
【図１３】
2015005411.tif 000016
【図１４】
2015005411.tif 000017
【図１５（ａ）】
2015005411.tif 000018
【図１５（ｂ）】
2015005411.tif 000019
【図１５（ｃ）】
2015005411.tif 000020
【図１６（ａ）】
2015005411.tif 000021
【図１６（ｂ）】
2015005411.tif 000022
【図１７】
2015005411.tif 000023
【図１８（ａ）】
2015005411.tif 000024
【図１８（ｂ）】
2015005411.tif 000025
【図１８（ｃ）】
2015005411.tif 000026